(57)【要約】【課題】火花放電を抑制した集塵装置を提供することを目的とする。【解決手段】オイルミストや粉塵に電荷を印加する粉塵荷電部１内に放電エネルギーを抑制する放電手段として、高電圧を維持する放電極２と放電極２から放電電気を受電する抵抗器３と抵抗器３から電流を制限し通電する放電針４と、放電針４から粉塵やオイルミストに荷電する電流を受電するセラミック板５と受電した電力を通電する接地電極板６とを備えたことを特徴とする集塵装置。【選択図】図１
2009248074.tif 000002
【特許請求の範囲】
【請求項１】
オイルミストや粉塵を捕集する集塵装置において、オイルミストや粉塵に電荷を印加する粉塵荷電部内に、高電圧を維持する放電極と、前記放電極から電力を受電する抵抗器と、前記抵抗器から電流を制限し通電する放電針からなる放電手段と、前記放電針からオイルミストや粉塵に荷電する電流を受電する受電手段とを備えたことを特徴とする集塵装置。
【請求項２】
抵抗器は、電力を抑制するチップ抵抗であることを特徴とする請求項１記載の集塵装置。
【請求項３】
チップ抵抗の抵抗を０．１Ｇ〜１ＧΩとしたことを特徴とする請求項２記載の集塵装置。
【請求項４】
受電手段として、受ける電流を抑制する接地電極を備えたことを特徴とする請求項１記載の集塵装置。
【請求項５】
接地電極の体積抵抗値を１０7〜１０10Ω・ｃｍとしたことを特徴とする請求項４記載の集塵装置。
【請求項６】
接地電極の材料をセラミックとしたことを特徴とする請求項４または５記載の集塵装置。
【請求項７】
セラミックの形状を円形としたことを特徴とする請求項６記載の集塵装置。
【発明の詳細な説明】
【技術分野】
【０００１】
空気中の粉塵やオイルミストを捕集する集塵装置に関するものである。
【背景技術】
【０００２】
従来、この種の集塵装置として、帯電部と集塵部と分離し、粉塵に荷電してから、粉塵を捕集する浮遊物捕集装置が知られている（例えば、特許文献１参照）。
【０００３】
以下、その浮遊物捕集装置について図５を参照しながら説明する。
【０００４】
図５に示すように、浮遊物捕集装置１０１は、接地板１０２と放電線１０３にて粉塵を荷電する荷電部が構成され、集塵板１０４によって集塵部が構成され、荷電された粉塵を集塵部で捕集する。勿論、粉塵を含む空気を荷電部と集塵部に通風するための通風ファン１０５によって構成される。図には示していないが、接地板と１０２と放電線１０３には、空気を絶縁破壊する高い電圧が印加することで、通風した空気中の粉塵は荷電される。また、火花放電を防止するために、接地電極に体積抵抗値を１０10〜１０13Ω・ｃｍの材料を用いるものであった。
【特許文献１】特開平８−７１４５１号公報
【発明の開示】
【発明が解決しようとする課題】
【０００５】
このような従来の捕集装置では、電気集塵部において、放電電極と接地電極に過電流が放電し、火花放電を発生すると、粉塵の荷電効率を低下させ、集塵部での捕集効率を低減させるという課題がある。
【０００６】
本発明は、このような従来の課題を解決するものであり、火花放電を抑制した集塵装置を提供することを目的とする。
【課題を解決するための手段】
【０００７】
本発明の集塵装置は、上記目的を達成するために、オイルミストや粉塵を捕集する集塵装置において、オイルミストや粉塵に電荷を印加する粉塵荷電部内に、高電圧を維持する放電極と、前記放電極から電力を受電する抵抗器と、前記抵抗器から電流を制限し通電する放電針からなる放電手段と、前記放電針から粉塵やオイルミストに荷電する電流を受電する受電手段とを備えたことを特徴とする集塵装置である。
【０００８】
また、他の手段は、抵抗器として、電力を抑制するチップ抵抗を備えたことを特徴とする請求項１記載の集塵装置である。
【０００９】
また、他の手段は、チップ抵抗を０．１Ｇ〜１ＧΩとしたことを特徴とする請求項２記載の集塵装置である。
【００１０】
また、他の手段は、受電手段として、受ける電流を抑制する接地電極を備えたことを特徴とする請求項１記載の集塵装置である。
【００１１】
また、他の手段は、接地電極表面材料の体積抵抗値を１０7〜１０10Ω・ｃｍとしたことを特徴とする請求項４記載の集塵装置である。
【００１２】
また、他の手段は、接地電極の材料をセラミックとしたことを特徴とする請求項４または５記載の集塵装置である。
【００１３】
また、他の手段は、セラミックの形状を円形としたことを特徴とする請求項６記載の集塵装置である。
【発明の効果】
【００１４】
本発明によれば、オイルミストや粉塵を捕集する集塵装置において、オイルミストや粉塵に電荷を印加する荷電部内に放電エネルギーを抑制する放電手段と空気中に放電したエネルギーを受ける受電手段とを備えたことを特徴とする集塵装置により、火花放電を抑制することで粉塵やオイルミストへの着火を低減することが可能となるという効果のある集塵装置を提供することができる。
【００１５】
また、抵抗器として、電力を抑制するチップ抵抗を備えたことを特徴とする請求項１記載の集塵装置により、チップ抵抗にすることで、容易に構成で作製することが可能となるという効果のある集塵装置を提供することができる。
【００１６】
また、チップ抵抗を０．１Ｇ〜１ＧΩとしたことを特徴とする請求項２記載の集塵装置により、火花放電を抑制することで粉塵やオイルミストへの着火エネルギーを制限し、安定して放電するという効果のある集塵装置を提供することができる。
【００１７】
また、受電手段として、電流を抑制する接地電極を備えたことを特徴とする請求項１記載の集塵装置により、接地電極に対し、放電電流が分散し、単位的な着火エネルギーを低減させるという効果のある集塵装置を提供することができる。
【００１８】
また、接地電極の体積抵抗値を１０7〜１０10Ω・ｃｍとしたことを特徴とする請求項４記載の集塵装置により、接地電極に対し、放電電流が分散し、さらに単位的な着火エネルギーを低減させるという効果のある集塵装置を提供することができる。
【００１９】
また、接地電極の材料をセラミックとしたことを特徴とする請求項４または５記載の集塵装置により、長期に使用することが可能となるという効果のある集塵装置を提供することができる。
【００２０】
また、セラミックの形状を円形としたことを特徴とする請求項６記載の集塵装置により、無駄な放電領域をなくし、効率的に放電が可能となり、コンパクトにできるという効果のある集塵装置を提供することができる。
【発明を実施するための最良の形態】
【００２１】
本発明の請求項１記載の集塵装置は、オイルミストや粉塵を捕集する集塵装置において、オイルミストや粉塵に電荷を印加する粉塵荷電部内に、高電圧を維持する放電極と前記放電極から電力を受電する抵抗器と前記抵抗器から電流を制限され通電される放電針からなる放電手段と、前記放電針から粉塵やオイルミストに荷電する電流を受電する受電手段とを備えたことを特徴とする集塵装置としたものであり、放電エネルギーを抑制することで、火花放電を抑制し、粉塵の捕集効率を高めることが可能となるという作用を有する。
【００２２】
また、抵抗器として、電力を抑制するチップ抵抗を備えたことを特徴とする請求項１記載の集塵装置としたものであり、安定して放電エネルギーを制御することで、さらに火花放電を抑制し、粉塵の再飛散を低減することが可能となるという作用を有する。
【００２３】
また、抵抗を０．１Ｇ〜１ＧΩとしたことを特徴とする請求項２記載の集塵装置としたものであり、空気中の放電エネルギーとして、火花放電となる着火エネルギーを制限することが可能となるという作用を有する。
【００２４】
また、受電手段として、受ける電流を抑制する接地電極を備えたことを特徴とする請求項１記載の集塵装置としたものであり、接地電極表面を効率的に放電するため、単位面積あたりの放電電流を低減し、着火するエネルギーを抑制することができるという作用を有する。
【００２５】
また、接地電極表面材料の体積抵抗値を１０＾７〜１０＾１０Ω・ｃｍとしたことを特徴とする請求項４記載の集塵装置としたものであり、接地電極表面と体積に効率的に放電するため、単位面積あたりの放電電流をさらに低減し、着火するエネルギーを抑制することができるという作用を有する。
【００２６】
また、接地電極の材料をセラミックとしたことを特徴とする請求項４または５記載の集塵装置としたものであり、放電エネルギーによる局部的な放熱による材料変形を抑え、安定して接地電極に利用できるという作用を有する。
【００２７】
また、セラミックの形状を円形としたことを特徴とする請求項６記載の集塵装置。
【００２８】
としたものであり、放電面積を効率的にし、放電エネルギーによる局部的な放熱による材料変形を抑え、安定して接地電極に利用できるという作用を有する。
【００２９】
以下、本発明の実施の形態について、図面を参照しながら説明する。
【００３０】
（実施の形態１）
図１に示すように、オイルミストや粉塵を捕集する集塵装置においてオイルミストや粉塵に電荷を印加する粉塵荷電部１内に放電エネルギーを抑制する放電手段として、高電圧を維持する放電極２と放電極２から放電電気を受電する抵抗器３と抵抗器３から電流を制限し通電する放電針４と、放電針４から粉塵やオイルミストに荷電する電流を受電するセラミック板５と受電した電力を通電する接地電極板６とを備えたことを特徴とする集塵装置で構成とする。
【００３１】
上記構成により、図には示していないが電源回路から、放電極２に７ＫＶの高電圧は供給される。放電極２から抵抗器３に電力が供給される際に、抵抗器３の高い抵抗として０．１Ｇ〜１ＧΩで、電流が抑制され、放電針４に供給される。放電針４より、受電手段側に空気中を通り、放電され、その際、空気中の粉塵やオイルミストは荷電される。放電された電力は、受電側のセラミック板５表面の抵抗体に直接印加され、セラミック板の表面の抵抗により分散し、受電され、接地電極板６に通電される。
【００３２】
火花放電は、過剰な電力が一瞬の内に空気や材料表面を放電して発生する。その際、材料に蓄積した電力も一瞬の内に流れる現象を表すため、放電部分までの材料を制御する必要がある。そのため、抵抗器３により、放電針４で印加する放電電流と放電極２に蓄積する電流を抑制し、火花放電を抑制し、粉塵の捕集効率を高めることが可能となる。
【００３３】
また、粉塵やオイルミストにより、放電針４とセラミック板５の極間が狭まり、短絡しても、セラミック板５表面で所定の抵抗セラミックの特性を生かした体積抵抗値を１０＾７〜１０＾１０Ω・ｃｍを設けることで、過剰な放電電流の集中を防止し、火花放電を抑制することが可能となる。
【００３４】
また、図２に粉塵荷電部１の断面図を示す。断面図には、個々の接合の特徴として放電極２と接地電極板６の表面の詳細を示す。図２に示すように、放電極２は抵抗器３に接合されているが、一般的に高電圧を印加すると抵抗器３の沿面を通り、放電針４に通電されることがあり、モールド接合７により、接地電極板６と抵抗器３と放電針４は材料の内部を通電し、放電針４先端より放電するものとした。さらに、受電するセラミック板５は、接地電極板６とのに抵抗を無くすため、導電フィルム接合８を施した。これにより、接地電極板６とセラミック板５に余計な抵抗や抵抗のムラを防止し、さらには、電気が蓄積しないような構成とした。また、接地電極板６表面には絶縁フィルム９で覆い、セラミック板５以外での受電を防止する構成とした。
【００３５】
さらに、図３に放電板２と抵抗器３と放電針４の構成を容易にしたものを示す。放電針４と抵抗器３を合わせた抵抗針１０とした。また放電極２の表面に放電極被膜１１を施した。
【００３６】
放電極被膜１１により高電圧を印加する際に放電極２から直接受電手段への放電を抑制し、さらには、抵抗針１０により放電針４と抵抗器３での電気の蓄積を低減することが可能となる。
【００３７】
また、図４に円形セラミック板１２の粉塵荷電部１を示す。放電針４や抵抗針１０より放電された空間は、点から面に円錐状に形成されるため、必要以外の材料を削減することで、容易に作成でき、また、コンパクトにする事が可能となる。
【００３８】
このように本発明の実施の形態１の集塵装置によれば、火花放電を抑制することで粉塵やオイルミストへの着火を低減することが可能となる。
【００３９】
なお、前記抵抗器として、放電エネルギーを抑制するチップ抵抗を備えたことを特徴とすることで小さく形状で安定して放電エネルギーを制御することで、さらに火花放電を抑制し、粉塵の再飛散を低減することが可能となり、容易に構成で作製することが可能となる。
【００４０】
なお、前記抵抗器３の抵抗を０．１Ｇ〜１ＧΩとすることで空気中の放電エネルギーとして、火花放電となる着火エネルギーを制限することが可能となり、火花放電を抑制することで粉塵やオイルミストへの着火エネルギーを制限し、安定して放電することが可能となる。
【００４１】
なお、放電エネルギーを抑制する接地電極としてセラミックを備えることで接地電極表面を効率的に放電するため、単位面積あたりの放電エネルギーを低減し、着火するエネルギーを抑制することができ、接地電極に対し、放電エネルギーが分散し、単位的な着火エネルギーを低減させることとなる。
【００４２】
なお、接地電極表面材料の体積抵抗値を１０＾７〜１０＾１０Ω・ｃｍとすることで接地電極表面と体積に効率的に放電するため、単位面積あたりの放電エネルギーをさらに低減し、着火するエネルギーを抑制することができ、接地電極に対し、放電エネルギーが分散し、さらに単位的な着火エネルギーを低減させることとなる。
【００４３】
なお、前記接地電極の材料をセラミックとしたことで放電エネルギーによる局部的な放熱による材料変形を抑え、安定して接地電極に利用でき、長期に使用することが可能となることとなる。
【００４４】
なお、前記セラミックの形状を円形としたことで放電面積を効率的にし、放電エネルギーによる局部的な放熱による材料変形を抑え、安定して接地電極に利用でき、無駄な放電領域をなくし、効率的に放電が可能となり、コンパクトにできることとなる。
【産業上の利用可能性】
【００４５】
集塵装置の放電部分に抵抗を用いて容易に火花放電を防止ができ、安全に空気中の粉塵やオイルミストを捕集することにより、室内の空調を行う空気調和機の用途にも適用できる。
【図面の簡単な説明】
【００４６】
【図１】本発明の実施の形態１の集塵装置を示す斜視図
【図２】同集塵装置の接合詳細を示す断面図
【図３】同集塵装置の放電部分を示す断面図
【図４】円形セラミック板の同集塵装置を示す斜視図
【図５】従来の浮遊物捕集装置を示す平面図
【符号の説明】
【００４７】
１    粉塵荷電部
２    放電極
３    抵抗器
４    放電針
５    セラミック板
６    接地電極板
７    モールド接合
８    導電フィルム接合
９    絶縁フィルム
１０  抵抗針
１１  放電極被膜
１２  円形セラミック板
【図１】
2009248074.tif 000003
【図２】
2009248074.tif 000004
【図３】
2009248074.tif 000005
【図４】
2009248074.tif 000006
【図５】
2009248074.tif 000007